(57)【要約】使用者の肢体において少なくとも１つの主要な静脈を調節可能に圧迫し、少なくとも１つの主要な静脈を通じる血流を制限するための手段を有するスポーツ衣料である。【選択図】図３
2021526596.tif 000002
【特許請求の範囲】
【請求項１】
使用者の肢体において主要な動脈を通じる血流を許容する一方で、前記使用者の前記肢体において少なくとも１つの主要な静脈を圧迫し、前記少なくとも１つの主要な静脈を通じる血流を制限するための調節可能な圧迫部材を有するスポーツ衣料であって、
（１）前記衣料は、上半身に着る衣服またはＴシャツであり、前記圧迫部材は、前記上半身に着る衣服または前記Ｔシャツの袖に設けられ、前記圧迫部材は、使用中に、前記使用者の腋窩に近接した前記使用者の腕の上部に配置されているか、
または、
（２）前記衣料は、一対のショーツまたは一対のズボンであり、前記圧迫部材は、前記一対のショーツまたは前記一対のズボンの脚部に設けられ、前記圧迫部材は、使用中に、前記使用者の鼠径部に近接した前記使用者の大腿部の上部に配置されている、
スポーツ衣料。
【請求項２】
前記圧迫部材は、弾性バンドを備え、
前記弾性バンドは、前記圧迫部材が前記少なくとも１つの主要な静脈を圧迫しない第１構成と、前記弾性バンドに張力がかかり、前記弾性バンドが前記少なくとも１つの主要な静脈を圧迫する第２構成との間で調節可能であるように構成されている、
請求項１に記載の衣料。
【請求項３】
前記弾性バンドは、第１端部と第２端部とを有し、
前記第１端部および前記第２端部の少なくとも一方は、前記弾性バンドを前記第１構成と前記第２構成との間で調節するために、前記第１端部および前記第２端部の他方に対して移動可能である、
請求項２に記載の衣料。
【請求項４】
前記弾性バンドの前記第１端部は、前記衣料に固着され、
前記弾性バンドの前記第２端部は、前記衣料に解除可能に固定されるように構成されている、
請求項３に記載の衣料。
【請求項５】
前記第１端部および前記第２端部の少なくとも一方は、ラチェット機構を有する回転式のダイヤルに接続され、前記ダイヤルの回転により、前記弾性バンドに張力がかけられる、請求項３に記載の衣料。
【請求項６】
前記弾性バンドの前記第２端部は、キャッチ部および鳩目の型式の留め具によって前記衣料に解除可能に固定されている、請求項４に記載の衣料。
【請求項７】
前記弾性バンドの前記第２端部は、フック・アンド・ループ型留め具によって前記衣料に解除可能に固定されている、請求項４に記載の衣料。
【請求項８】
前記圧迫部材を少なくとも部分的に収容する袖またはハウジングをさらに備えている、請求項１〜７のいずれか１つに記載の衣料。
【請求項９】
前記弾性バンドの前記第２端部は、前記弾性バンドが前記第１構成にあるときに、前記袖または前記ハウジングから少なくとも部分的に突出している、請求項３〜７のいずれか１つに従属した請求項８に記載の衣料。
【請求項１０】
前記フック・アンド・ループ型留め具の一部は、前記袖または前記ハウジングの外表面に配置され、
前記フック・アンド・ループ型留め具の相補部は、前記弾性バンドの前記第２端部に配置されているか、または前記弾性バンドの前記第２端部に近接して配置されている、
請求項７に従属した請求項９に記載の衣料。
【請求項１１】
前記圧迫部材によって前記少なくとも１つの主要な静脈に加えられた圧迫の量を表示するための印をさらに有する、請求項１〜１０のいずれか１つに記載の衣料。
【請求項１２】
前記弾性バンドの下面には、少なくとも１つの主要な静脈の血流を制限するが、主要な動脈の血流を許容する適切な位置において、前記使用者の前記肢体に追加の圧力を加えるように構成されたパッドまたは突出部が設けられている、請求項２、または請求項２に従属する請求項３〜１１のいずれか１つに記載の衣料。
【請求項１３】
前記パッドまたは前記突出部は、実質的に固体である、請求項１２に記載の衣料。
【請求項１４】
前記パッドまたは前記突出部は、クッション性を有する、請求項１２に記載の衣料。
【請求項１５】
前記弾性バンドの長さに沿った前記パッドまたは前記突出部の位置は、調節可能である、請求項１２〜１４のいずれか１つに記載の衣料。
【発明の詳細な説明】
【技術分野】
【０００１】
本発明は、血流制限技術を組み込んだ衣料に関する。
【背景技術】
【０００２】
血流制限（ＢＦＲ：Blood Flow Restriction）トレーニングは、血管閉塞（vascular occlusion）トレーニングとしても知られ、急速に筋肉量を増加させるために立案された運動手法である。動かす筋肉に近接する主要な血管（または、複数の主要な血管）を圧迫し、主要な静脈を流れる血液を減少させる。このことは、筋肉において静脈還流を阻害し、静脈貯留を引き起こして、代謝ストレスをもたらす。このことは、引き続いて急速な筋肉の成長、すなわち、静脈貯留を阻害しない同一の筋ストレス運動（muscle stress exercises）と比較してより速い筋組織の増大をもたらし得る。
【発明の概要】
【発明が解決しようとする課題】
【０００３】
現存のＢＦＲ手法は、所望の肢体の周りにバンドを結ぶことを伴う。この現存手法には、使用者がトレーニングにＢＦＲを組み込みたいと思う度に、肢体上でバンドの正しい位置を見つけ出し、バンドによって生じる圧力を主要な血管が位置する正しい位置に加えなければならないという欠点がある。主要な静脈またはそれ以外（例えば、動脈）に正しく圧力を加えるために、ＢＦＲを組み入れる度に所望の筋肉上にバンドを正しく配置することは、困難であり得る。さらに、現存の手法には、主要な静脈上のバンドによって発揮される正しい圧力を使用者が使用の度に見つけ出す必要があるという欠点がある。正しい量の圧力を加え、主要な静脈を正しい量だけ圧迫するためにバンドの張力を調節することは、困難であり得る。さらなる欠点は、バンドが目障りであることにある。使用者は、バンドを使用せずに通常のトレーニングをしたいと思った場合に、バンドを持ち運ぶか、またはポケットにしまっておく必要がある。
【課題を解決するための手段】
【０００４】
一態様から見ると、使用者の肢体において主要な動脈を通じる血流を許容する一方で、使用者の肢体において少なくとも１つの主要な静脈を圧迫し、少なくとも１つの主要な静脈を通じる血流を制限するための調節可能な圧迫部材を有するスポーツ衣料が提供される。
（１）衣料は、上半身に着る衣服またはＴシャツである。圧迫部材は、上半身に着る衣服またはＴシャツの袖に設けられている。圧迫部材は、使用中に、使用者の腋窩に近接した使用者の腕の上部に配置されている。
または、
（２）衣料は、一対のショーツまたは一対のズボンである。圧迫部材は、一対のショーツまたは一対のズボンの脚部に設けられている。圧迫部材は、使用中に、使用者の鼠径部に近接した使用者の大腿部の上部に配置されている。
【０００５】
衣料は、圧迫部材を正しく配置し、使用者の上腕部または大腿部において、不当に動脈の血流を制限することなく、少なくとも１つの主要な静脈の血流を制限するように設計されている。このことは、通常のスポーツ衣料を着用したときの運動と比較して、上腕部または大腿部の筋肉のより速い成長をもたらし得る。
【０００６】
衣料は、少なくとも１つの主要な静脈を調節可能に圧迫する圧迫部材を収容するための袖またはハウジングを備えてもよい。これにより、例えば、圧迫部材が血流を制限するのに使用されていないときには、圧迫部材を覆ったり隠したりすることができ、衣料が通常のスポーツ衣料のように見える。また、使用者が衣料を着用しているときに、任意のタイミングでＢＦＲを使用する選択肢を有することがより確実になる。分離したＢＦＲ器具は、紛失することがあり、持ち運びに不便であり得る。
【０００７】
衣料の袖またはハウジングは、衣料の残りの部分と同一の生地で製造されてもよい。このことにより、衣料は、継ぎ目のない外観にされ得る。また、圧迫部材は使用者によって調節時に繰り返し引っ張られるが、このことにより、衣料の耐久性が向上され得る。
【０００８】
圧迫部材は、弾性バンドを備えてもよい。弾性バンドは、圧迫部材が少なくとも１つの主要な静脈を圧迫しない第１構成と、弾性バンドに張力がかかり、弾性バンドが少なくとも１つの主要な静脈を圧迫する第２構成との間で調節可能に構成されている。弾性バンドの張力は、少なくとも１つの主要な静脈に対する圧迫をもたらし得る。
【０００９】
弾性バンドは、第１端部と第２端部とを有してもよい。第１端部および第２端部の少なくとも一方は、弾性バンドを第１構成と第２構成との間で調節するために、第１端部および第２端部の他方に対して移動可能であってもよい。このことにより、ＢＦＲが望まれるときに、弾性バンドは、主要な静脈を継続的に圧迫する緊張状態により確実に留まり得る。
【００１０】
弾性バンドの第１端部は、衣料に固着されてもよい。弾性バンドの第２端部は、衣料に解除可能に固定されるように構成されてもよい。このことにより、使用者は、ＢＦＲが実施されるモードと通常モードとの間で衣料を繰り返し切り替えることができる。
【００１１】
弾性バンドの第２端部は、弾性バンドが第１構成にあるときに、ハウジングから少なくとも部分的に突出するように構成されていてもよい。このことにより、使用者は、弾性バンドを容易に掴み、第１構成から第２構成に容易に動かすことができる。
【００１２】
第２端部は、フック・アンド・ループ型留め具によって衣料に解除可能に固定されるように構成されてもよい。一実施形態では、フック・アンド・ループ型留め具のフック部またはループ部の帯（strap）の一方が、袖またはハウジングの外表面に取り付けられてもよい。また、ループ部またはフック部の帯の他方は、弾性バンドの第２端部に近接し、弾性バンドの内表面に取り付けられてもよい。このことにより、弾性バンドを袖またはハウジングに十分に接合させることができる。また、フック・アンド・ループ型留め具は、軽量であり、不都合な突出がなく、すなわち平坦であるという利点も有する。
【００１３】
いくつかの実施形態では、第１端部および第２端部の少なくとも一方は、ラチェット機構を有する回転式のダイヤルに接続されている。ダイヤルの回転により、弾性バンドに張力がかけられ得る。このタイプの好適な機構は、例えば、履物の紐締めシステムに関して国際公開第９９／０９８５０号に開示されており、その内容が参照により本願に組み込まれる。
【００１４】
さらに、衣料は、圧迫部材によって少なくとも１つの主要な静脈に加えられる圧迫の量を表示する印を有してもよい。いくつかの実施形態では、圧迫の量は、弾性バンドにかかる張力の量の関数である。例えば、弾性バンド、袖またはハウジング、および／またはフック・アンド・ループ型留め具の少なくとも１つの長さに沿ったマーキングの形式の印、または、回転式ダイヤルの周囲にあるマーキングの形式の印を設ける。このことにより、使用者は、快適で、弾性バンドの張力が効果的な程度であった位置を記録でき、衣料をのちに使用するときに、同一程度の張力に容易に再設定できる。
【００１５】
いくつかの実施形態では、弾性バンドの第２端部は、袖またはハウジングに組み込まれた複数の鳩目の１つに引っ掛けられるように構成されたキャッチ部によって、衣料に解除可能に取り付けられるように構成されてもよい。キャッチ部は、弾性バンドの第２端部に近接して、弾性バンドの内表面に取り付けられてもよい。このことにより、弾性バンドを袖またはハウジングに着脱可能に固定できる。また、この構成は、ループ・アンド・フック型留め具よりも優れた審美性を有し得る。さらに、キャッチ部には、スポーツ衣料のロゴがエンボス加工されてもよい。
【００１６】
いくつかの実施形態では、弾性バンドの下面に、少なくとも１つの主要な静脈の血流を制限するが、主要な動脈の血流を許容する適切な位置において、使用者の肢体に追加の圧力を加えるように構成されたパッドまたは突出部が設けられてもよい。
【００１７】
パッドまたは突出部は、実質的に固体であってもよく、または、いくつかの実施形態では、快適性のためにクッション性を有してもよい。
【００１８】
いくつかの実施形態では、弾性バンドの長さに沿ったパッドまたは突出部の位置は、正しい配置を可能にするために、使用者によって調節可能であってもよい。パッドまたは突出部は、クリップまたは他の固定具によって正しい位置に保持され得る。
【図面の簡単な説明】
【００１９】
本発明の実施形態は、添付図面を参照しながら、以下にさらに説明される。 
【００２０】
【図１】図１は、少なくとも１つの主要な静脈を調節可能に圧迫する圧迫部材を有した、第１実施形態に係るスポーツ衣料を示す図である。
【図２】図１は、少なくとも１つの主要な静脈を調節可能に圧迫する圧迫部材を有した、第２実施形態に係るスポーツ衣料を示す図である。
【図３】図３は、第１実施形態の衣料において、非係合の（neutral）第１位置にある圧迫部材の拡大図である。
【図４】図４は、第１実施形態の衣料における圧迫部材の拡大図であって、使用者が圧迫部材を非係合の第１位置から係合した第２位置に調節しているところを示す図である。
【図５】図５は、第１実施形態の衣料において、係合した第２位置にある圧迫部材の拡大図である。
【図６】図６は、第２実施形態の衣料において、非係合の第１位置にある圧迫部材の拡大図である。
【図７】図７は、第２実施形態の衣料における圧迫部材の拡大図であって、使用者が圧迫部材を非係合の第１位置から係合した第２位置に調節しているところを示す図である。
【図８】図８は、第２実施形態の衣料において、係合した第２位置にある圧迫部材の拡大図である。
【図９】図９は、ハウジングを除いた圧迫部材を示す図である。
【図１０】図１０は、圧迫部材の代替的な構成を示す図である。
【図１１】図１１は、圧迫部材のさらに代替的な構成を示す図である。
【発明を実施するための形態】
【００２１】
図１は、第１および第２の袖１０２を備えたＴシャツ１００を示す図である。第１および第２の袖１０２は、一体化された調節可能なバンド部（strap）１０４をそれぞれ備えている。第１の袖および第２の袖１０２に一体化された調節可能なバンド部１０４は、実質的に同等であってよい。一体化された調節可能なバンド部１０４は、ハウジング１０６内に弾性バンド（strap）１０８を備えている。
【００２２】
弾性バンド１０８は、ツイルテープまたはゴムから製造されてもよい。図１では、弾性バンド１０８は、弛緩し、いずれの主要な静脈も圧迫していない非係合の第１位置にある。ハウジング１０６は、袖１０２の端部を袖１０２自体の下に折り、袖１０２の端部の縁部を袖１０２の内側に、例えば、縫い合わせるか、または布用接着剤を用いて接着して、固定することによって形成される。
【００２３】
ハウジングの幅は、実質的に弾性バンド１０８の幅にされるか、または弾性バンド１０８よりもわずかに太くされるべきである。弾性バンド１０８の幅は、２〜３ｃｍ、好ましくは２．５ｃｍであってもよい。この幅は、局部的な圧力を所望の領域に加えることを可能にするとともに、関連する肢体の表面上で圧力を分散させ、前記肢体の痛みを軽減するのに十分な太さである。
【００２４】
代替例では、ハウジング１０６は、Ｔシャツ１００の生地の表面に別の生地を縫合して形成されてもよい。ハウジング１０６は、Ｔシャツ１００が非改良のスポーツウェアＴシャツに類似するように、弾性バンド１０８を覆い隠すのに役立つ。
【００２５】
図１では、弾性バンド１０８の第２端部の部分のみが露出している。第１端部、中間部、および第２端部の残りの部分は、ハウジング１０６内にある。第２端部の露出した部分は、弾性バンド１０８を伸ばすために容易に保持しつかむことが可能なタブ１１２として機能する。
【００２６】
タブ１１２は、弾性バンドの第２端部を第２端部自体に折り返し、タブ１１２の厚さを２倍にすることにより補強されてもよい。タブ１１２は、細長い金属片をタブの端部に折り重ねることにより補強されてもよい。細長い金属片は、歯状部によってタブ１１２に固定されてもよい。歯状部は、その端部において、タブ１１２に突き刺さる。
【００２７】
第１端部は、ハウジング１０６の内側に固定的に取り付けられている。第１端部は、ハウジング１０６の内側に取り付けられた金属バックル１０３（図９参照）を通じて輪状にされ、第１端部自体に戻って金属バックル１０３（図９参照）上で縫い合わされることにより取り付けられてもよい。あるいは、第１端部は、第２端部を衣料に直接縫い合わせることにより、または、布用接着剤を用いて接着することにより、固定的に取り付けられてもよい。
【００２８】
第２端部は、使用者の上腕二頭筋の上部の周囲にあるハウジングを通じ、金属バックル１０３（図９参照）に挿通されてもよい。２倍の厚さのタブ１１２は、弾性バンド１０８の第２端部がハウジング１０６内にまで後退しすぎるのを防止するのに役立つ。
【００２９】
第２端部には、第２端部を衣料に着脱可能に取り付けるための解除可能なコネクタ１１０、または解除可能なコネクタ１１０の第１部分１１０ａ（図９参照）が固定的に取り付けられている。衣料１００は、第２端部を衣料に着脱可能に取り付けるための解除可能なコネクタの第２部分１１０ｂを有してよい。第２端部を衣料に着脱可能に取り付けるための解除可能なコネクタ１１０の第１部分１１０ａ（図９参照）と第２部分１１０ｂとは、フック・アンド・ループ型留め具１１０、例えばベルクロ（登録商標）を有する。
【００３０】
フック・アンド・ループ型留め具１１０のループ部またはフック部の一方１１０ｂは、ハウジング１０６の外表面に配置されている。フック・アンド・ループ型留め具１１０のループ部は、ハウジング１０６の外表面に配置されることが好ましい。このことにより、Ｔシャツ１００を着用しているときに、第２端部を着脱可能に取り付けるための解除可能なコネクタ１１０の第２部分１１０ｂに接触し得る使用者に対する不快感が防止される。
【００３１】
フック・アンド・ループ型留め具１１０のフック部またはループ部の他方１１０ａ（図９参照）は、弾性バンド１０８の第２端部の外表面に取り付けられている。このように、フック・アンド・ループ型留め具１１０のフック部１１０ａ（図９参照）とループ部１１０ｂとを係合させることにより、第２端部は、Ｔシャツの袖１０２に着脱可能に取り付けられ得る。
【００３２】
第２端部１１２は、他の方法を用いてＴシャツの袖１０２に着脱可能に取り付けられてもよい。例えば、第２端部は、金属の輪と係合するために、弾性バンド１０８の外表面に取り付けられた鳩目（eyelet）、ボタン、またはスナップ（popper）と、関連してハウジング１０６の外表面に取り付けられたボタン穴またはスナップとを有してもよい。
【００３３】
図２は、一体化された調節可能なバンド部２０４をそれぞれ有する第１および第２脚部２０２を備えた一対のショーツ（shorts）２００を示す図である。一体化された調節可能なバンド部２０４は、図１のＴシャツ１００に記載の一体化された調節可能なバンド部１０４と実質的に同様である。
【００３４】
一体化された調節可能なバンド部２０４は、ハウジング２０６内に弾性バンド２０８を備えている。弾性バンド２０８の第１端部は、ハウジング２０６内に取り付けられている。弾性バンド２０８の第２端部の外表面は、一対のショーツ２００の脚部２０２に着脱可能に取り付けられる解除可能なコネクタ２１０、または解除可能なコネクタの第１部分２１０ａ（図９参照）を有する。弾性バンド２０８を脚部２０２に着脱可能に取り付けるための解除可能コネクタ２１０の第２部分２１０ｂは、ハウジング２０６の外表面に取り付けられてもよい。
【００３５】
図１で説明した構成と同様に、第１端部と、中間部と、第２端部の一部とは、ハウジング２０６内にある。第２端部の露出した部分は、弾性バンド２０８を動かすために容易に保持しつかむことが可能なタブ２１２として機能する。タブ２１２は、弾性バンドの第２端部を第２端部自体に折り返し、タブ２１２の厚さを２倍にすることにより補強されてもよい。
【００３６】
弾性バンド２０８の第１端部は、ハウジング２０６の内側に固定的に取り付けられている。第１端部は、ハウジング２０６の内側に取り付けられた金属バックル２０３（図９参照）に通じて輪状にされ、第１端部自体に戻って金属バックル２０３（図９参照）上で縫い合わされることにより取り付けられてもよい。あるいは、第１端部は、第２端部を衣料に直接縫い合わせることにより、または、布用接着剤を用いて接着することにより、固定的に取り付けられてもよい。
【００３７】
第２端部は、使用者の大腿部の上部の周囲にあるハウジング２０６を通じ、金属バックル２０３（図９参照）に挿通されてもよい。２倍の厚さのタブ２１２は、弾性バンド２０８の第２端部がハウジング２０６内にまで後退しすぎるのを防止するのに役立つ。
【００３８】
図２の例では、弾性バンド２０８の第２端部を脚部２０２に着脱可能に取り付けるための解除可能なコネクタ２１０は、フック・アンド・ループ型留め具２１０である。弾性バンド２０８を脚部２０２に着脱可能に取り付けるための解除可能なコネクタの第１部分２１０ａ（図９参照）は、フック・アンド・ループ型留め具のフック部であることが好ましい。また、フック・アンド・ループ型留め具の第２部分２１０ｂは、フック・アンド・ループ型留め具のループ部であることが好ましい。
【００３９】
一体化された調節可能なバンド部２０４は、一対のショーツの股部のすぐ下方に配置され、一対のショーツが使用者によって着用されているときに、大腿筋の上部にあるようにされる。図２の例では、ハウジング２０６は、一対のショーツ２００上に材料片を縫い合わせるか、または接着することにより形成される。代替の実施形態では、ハウジング２０６は、一対のショーツ２００の脚部２０２の端部を脚部２０２自体の下に折り、脚部２０２の端部の縁部を脚部２０２の内側に、例えば、縫い合わせるか、または布用接着剤を用いて接着して、固定することにより形成され得る。
【００４０】
下に折られる脚部２０２の端部の幅は、実質的に弾性バンド２０８の幅にされるか、または弾性バンド２０８よりもわずかに太くされるべきである。弾性バンド２０８の幅は、２〜３ｃｍ、好ましくは２．５ｃｍであってよい。この構成では、脚部２０２の長さは、脚部２０２の端部が大腿部の上部に届くような長さにされる。このようにして、この方法で製造された作られたハウジングは、脚部の長さが短い一対のショーツをもたらす。
【００４１】
図３は、一体化された調節可能なバンド部１０４を有するＴシャツ１００の袖１０２の拡大図である。図３は、弾性バンド１０８に張力のかかっていない第１位置にある一体化された調節可能なバンド部１０４を示している。弾性バンド１０８の長さは、Ｔシャツ１００のサイズに応じて変更されてもよい。上腕二頭筋の周囲が小さい使用者よりも大きい使用者には、より長い弾性バンド１０８が必要である。一体化された調節可能なバンド部１０４は、使用者がＴシャツ１００を着用しているときに、使用者の腋窩に近接した上腕二頭筋の上部に配置される。
【００４２】
図４は、使用者が弾性バンド１０８を、弾性バンド１０８が弛緩した非係合の第１位置から、弾性バンド１０８に張力のかかった第２位置に動かすところを示す図である。弾性バンド１０８の長さは、弾性バンド１０８を伸ばし、弾性バンド１０８上のフック・アンド・ループ型留め具１１０の第１部分１１０ａ（図９参照）をハウジング１０６上のフック・アンド・ループ型留め具１１０の第２部分に係合させ得るような長さにされるべきである。
【００４３】
使用者は、親指と人差し指でタブ１１２をつまみ、タブ１１２を固定的に取り付けられた弾性バンド１０８の第１端部から引き離すことにより、弾性バンド１０８を非係合の第１位置から第２位置に動かす。弾性バンド１０８の第２端部を動かし、弾性バンド１０８の第１端部の固定からさらに離すことにより、弾性バンド１０８にかかる張力の量を調節することができる。
【００４４】
図５は、弾性バンド１０８の第２端部が着脱可能に取り付けられたＴシャツ１００を示す図である。フック・アンド・ループ型留め具１１０の第１部分１１０ａ（図９参照）と第２部分１１０ｂとが係合し、弾性バンド１０８は、張力のかかった状態で固定されている。図５では、弾性バンド１０８は、バンドが覆っている上腕二頭筋に関連する主要な静脈を圧迫し、前記の主要な静脈を通じる血流を減少させるように、張力のかかった状態にある。血流は、４０〜５０％に減じられることが好ましい。
【００４５】
一体化された調節可能なバンド部１０４には、弾性バンド１０８にかかる張力の量を表示するために、ハウジング１０６、弾性バンド１０８、および／またはフック・アンド・ループ型留め具１１０の長さに沿ったマーカ（図示せず）が備えられてもよい。このようにして、使用者は、弾性バンド１０８に加えた張力の量に関する値を得る。このことにより、使用者には、のちにスポーツ衣料１００のＢＦＲを使用するときに弾性バンド１０８に加えた張力の量に復帰するための容易な方法が提供され得る。
【００４６】
図６は、一体化された調節可能なバンド部２０４を備えた一対のショーツ２００の脚部２０２の拡大図である。弾性バンド２０８は、張力のかかっていない第１位置にある。弾性バンド２０８の長さは、一対のショーツのサイズに応じて変更されてもよい。大腿部の周囲が小さい使用者よりも大きい使用者には、より長い弾性バンド２０８が必要である。ハウジング２０６と一体化された調節可能なバンド部２０４とは、使用者が一対のショーツを着用しているときに、使用者の鼠径部に近接した大腿部の上部に配置される。
【００４７】
図７は、使用者が弾性バンド２０８を、弾性バンド２０８が弛緩している第１位置から、弾性バンド２０８に張力のかかった第２位置に動かすところを示す図である。使用者は、親指と人差し指でタブ２１２をつまみ、タブ２１２を固定的に取り付けられた弾性バンド２０８の第１端部から引き離すことにより、弾性バンド２０８を非係合の第１位置から第２位置に動かす。主要な静脈に対する圧迫は、血流を元の流量の約４０〜５０％に制限するようなものであることが好ましい。弾性バンド２０８の張力の量は、弾性バンド２０８の第２端部を弾性バンド２０８の第１端部の固定からさらに遠ざけることによって調節され得る。
【００４８】
図８は、弾性バンド２０８の第２端部が着脱可能に取り付けられた一対のショーツ２００を使用者が着用しているところを示す図である。弾性バンド２０８の長さは、弾性バンド２０８上のフック・アンド・ループ型留め具２１０の第１部分２１０ａ（図９参照）が、ハウジング上のフック・アンド・ループ型留め具２１０の第２部分２１０ｂに係合したときに、弾性バンド２０８に張力がかかるような長さにされるべきである。弾性バンドは、フック・アンド・ループ型留め具２１０の係合により、張力のかかった状態で固定される。
【００４９】
一体化された調節可能なバンド部２０４には、弾性バンド２０８にかかる張力の量を表示するために、ハウジング２０６、弾性バンド２０８、および／またはフック・アンド・ループ型留め具２１０の長さに沿ったマーカ（図示せず）が備えられてもよい。このようにして、使用者は、弾性バンド２０８に加えた張力の量に関する値を得る。このことにより、使用者には、のちにスポーツ衣料２００のＢＦＲを使用するときに弾性バンド２０８に加えた張力の量に復帰するための容易な方法が提供され得る。
【００５０】
図９は、弾性バンド１０８，２０８の構成をより明確に説明するために、ハウジング１０６，２０６を除いて、一体化された調節可能なバンド部１０４，２０４を示す図である。ハウジングには、金属バックル１０３，２０３が取り付けられている。金属バックル１０３，２０３には、弾性バンド１０８，２０８の第１端部が取り付けられている。この取り付けは、バックルの棒の周囲に生地の輪を縫い合わせることにより実現されてもよい。
【００５１】
弾性バンドは、衣料における使用者の肢体のための開口部の周囲に巻回され、金属バックル１０３，２０３の第２の棒に挿通されている。タブ１１２，２１２は、金属バックル１０３，２０３の棒同士の間の開口部よりも厚い。金属バックル１０３，２０３は、弾性バンド１０８，２０８の第２端部がハウジング１０６，２０６内にまで後退しすぎるのを防止し得る。第２端部を衣料に取り付けるための解除可能なコネクタの第１部分１１０ａ，２１０ａは、弾性バンドの外表面に取り付けられている。このことにより、弾性バンドがバックル上で折り返されたときに、第１部分１１０ａ，２１０ａがハウジング１０６，２０６の外面の第２部分１１０ｂ，２１０ｂに係合するようにされている。
【００５２】
図１０は、弾性バンド１０８，２０８の第２端部を衣料１００，２００に着脱可能に取り付けるための代替的な構成を示す図である。キャッチ部１０５，２０５は、複数の鳩目１０７，２０７の１つに引っ掛けられるように構成されている。鳩目１０７，２０７は、ハウジング１０６，２０６に距離ｄの間隔を空けて配置されている。鳩目１０７，２０７は、補強され、ハウジング１０６，２０６の材料をほつれないようにするとともに、鳩目１０７，２０７に対するキャッチ部１０５，２０５の力を補助するようにされている。
【００５３】
キャッチ部１０５，２０５の長さは、弾性バンド１０８，２０８の幅と実質的に同等である。このことにより、弾性バンド１０８，２０８からキャッチ部１０５，２０５によって与えられた鳩目１０７，２０７にかかる弾性力を、キャッチ部１０５，２０５の長さに沿って分散させ、ハウジング１０６，２０６の損傷を防止することが可能になる。キャッチ部１０５，２０５の半径は、２〜７ｍｍであってもよい。このことにより、キャッチ部が使用者の皮膚にまで突出することによる不快感を使用者に与えることなく、鳩目１０７，２０７に対する十分な取り付けを行うことが可能になる。
【００５４】
キャッチ部１０５，２０５は、アルミニウムまたは鋼などの金属から製造されてもよい。キャッチ部１０５，２０５は、耐酸化性金属から製造されることが好ましい。このことにより、スポーツ衣料１００，２００を着用した使用者から生じ得る汗の存在下においても、キャッチ部１０５，２０５の耐久性がより確実にされ得る。
【００５５】
鳩目１０７，２０７は、補強要素１０９，２０９によって、例えば、鳩目１０７，２０７の周囲に薄い材料片を折り重ねることによって、補強されてもよい。この材料は、耐酸化性金属であることが好ましい。
【００５６】
１つのキャッチ部１０５，２０５および複数の鳩目１０７，２０７は、ループ・アンド・フック型留め具１１０，２１０よりも優れた審美性を有し得る。さらに、１つのキャッチ部１０５，２０５および／または補強要素１０９，２０９には、スポーツ衣料のロゴがエンボス加工されてもよい。
【００５７】
弾性バンド１０８，２０８の張力の量を表示するためのマーカの代替として、補強された鳩目１０７，２０７自体が弾性バンドにかかる張力の量を表示する役割を果たしてもよい。例えば、使用者は、可能性のある３つの鳩目１０７，２０７のうち２つ目の鳩目１０７，２０７にキャッチ部１０５，２０５を引っ掛けたことを思い出すことができる。
【００５８】
図１１は、一体化された調節可能なバンド部１０４を備えたＴシャツ１００の袖１０２の拡大図である。図１１は、弾性バンド１０８が張力のかかっていない第１位置にある一体化された調節可能なバンド部１０４を示している。弾性バンド１０８の長さは、Ｔシャツ１００のサイズに応じて変更されてもよい。上腕二頭筋の周囲が小さい使用者よりも大きい使用者には、より長い弾性バンド１０８が必要である。一体化された調節可能なバンド部１０４は、使用者がＴシャツ１００を着用しているときに、使用者の腋窩に近接した上腕二頭筋の上部に配置される。
【００５９】
弾性バンド１０８には、ラチェット付きダイヤル１５０を時計回り方向に回転させ、テンショニングコード１５１をダイヤル１５０に接続されたスプール（図示せず）上に巻き付けることにより、張力をかけることができる。テンショニングコード１５１は、弾性バンド１０８の第２端部１１２に接続されている。運動後、使用者がＢＦＲトレーニングを止めたいときには、ダイヤル１５０を反時計回りに回転させ、弾性バンド１０８にかかる張力を解放することができる。ダイヤル１５０には、弾性バンド１０８の張力の量および少なくとも１つの主要な静脈に対する圧迫の程度を使用者に表示するように、印１５２が設けられている。
【００６０】
本明細書に記載の衣料は、図面に示すようなＴシャツまたは一対のショーツに限定されるものではない。衣料は、主要な筋肉を覆う物体を備えた任意の衣料であってもよい。主要な筋肉には、いくつかの非限定的な例として、上腕二頭筋、大腿部、ふくらはぎ、前腕が挙げられる。衣料は、任意の適切なスポーツウェア材料から製造されてもよい。適切なスポーツウェア材料には、少数の非限定的な例として、ポリエステル、エラスタン（elastane）またはスパンデックス、綿、および絹が挙げられる。
【００６１】
本明細書の記載および特許請求の範囲を通じて、「有する」および「含む」という語およびこれらの変形は、「含むが、それらに限定されない」という意味であり、他の部分、添加物、構成要素、整数または工程を除外することを意図しておらず、また除外もしない。本明細書の記載および特許請求の範囲を通じて、単数形の語は、文脈上他に要求されない限り、複数形の語を包含している。本明細書は、特に不定冠詞が使用された箇所において、文脈上他に要求されない限り、単数形の語と同様に複数形の語も考慮しているものとして理解されるべきである。
【００６２】
本発明の特定の態様、実施形態、または例に関して記載された特徴、整数、特性、化合物、化学的部分、または化学基は、本明細書に記載の他の任意の態様、実施形態、または例に対して、それらと相容れない場合を除き、適用可能であると理解される。本明細書（添付された特許請求の範囲、要約書、および図面のいずれも含む）に開示された全ての特徴および／またはそのように開示された任意の方法または処理の全ての工程は、そのような特徴および／または工程の少なくとも一部が互いに排他的である組合せを除き、任意の組合せに組み合わされてもよい。本発明は、前述の任意の実施形態の詳細に限定されるものではない。本発明は、本明細書（添付された特許請求の範囲、要約書、および図面のいずれも含む）に開示された特徴のうち任意の新規な１つもしくは任意の新規な組合せ、または、そのように開示された任意の方法もしくは処理の工程のうち任意の新規な１つもしくは任意の新規な組合せに及ぶ。
【００６３】
読者の注意は、本出願に関連しており、本明細書と同時に、または、本明細書より以前に提出され、本明細書と共に縦覧に供されている全ての書類および文献に対して向けられる。全てのそのような書類および文献の内容は、参照により本明細書に組み込まれる。
【図１】
2021526596.tif 000003
【図２】
2021526596.tif 000004
【図３】
2021526596.tif 000005
【図４】
2021526596.tif 000006
【図５】
2021526596.tif 000007
【図６】
2021526596.tif 000008
【図７】
2021526596.tif 000009
【図８】
2021526596.tif 000010
【図９】
2021526596.tif 000011
【図１０】
2021526596.tif 000012
【図１１】
2021526596.tif 000013
【国際調査報告】
2021526596.tif 000014
2021526596.tif 000015
2021526596.tif 000016